(57)【要約】【課題】被った際に頭部に清涼感を与えて不快感を和らげることができる帽子を提供する。【解決手段】本考案の帽子１は、着用者の頭部を覆うクラウン２と、クラウン２の内周面においてクラウン２の下縁に沿って設けられる帯状の汗取り５とを備える帽子であって、汗取り５は、接触冷感を呈する生地で構成されることを特徴とする。【選択図】図１
0003214029.tif 000002
【実用新案登録請求の範囲】
【請求項１】
着用者の頭部を覆うクラウンと、該クラウンの内周面において該クラウンの下縁に沿って設けられる帯状の汗取りとを備える帽子であって、
前記汗取りは、接触冷感を呈する生地で構成される帽子。
【請求項２】
前記クラウンと前記汗取りの相互間に、該クラウンに対して該汗取りを着脱自在に保持する面ファスナーを備える請求項１に記載の帽子。
【請求項３】
前記面ファスナーは、雄型面ファスナーと雌型面ファスナーとで構成され、該雄型面ファスナーと該雌型面ファスナーとを係止させた状態での厚みは０．５〜１．５ｍｍである請求項２に記載の帽子。
【請求項４】
前記汗取りは、消臭効果を有する糸によって縫製される請求項１〜３の何れか一項に記載の帽子。
【請求項５】
前記汗取りは、消臭効果を有するテープを備える請求項１〜４の何れか一項に記載の帽子。
【考案の詳細な説明】
【技術分野】
【０００１】
本考案は帽子に関するものであり、特にクラウンの内周面に汗取りを備える帽子に関する。
【背景技術】
【０００２】
従来、帽子の内側には、クラウンの下縁に沿って帯状の汗取りを設けることが一般的である。例えば特許文献１には、クラウンの全周に亘って鍔を設けた帽子において、汗取りを設けたものが示されている。また特許文献２には、クラウンの前方に鍔を設けるとともに、クラウンの後方には首を覆う日除け（首カバー部）を設けた帽子に対して汗取りを設けたものが示されている。このような汗取りを設ける場合は、頭部の汗を効果的に吸収することができるため、顔や首に汗が流れ落ちる不快感を抑えることが可能である。
【先行技術文献】
【特許文献】
【０００３】
【特許文献１】実開平４−６９４１７号公報
【特許文献２】特開２００３−１６６１１０号公報
【考案の概要】
【考案が解決しようとする課題】
【０００４】
ところで、帽子を被ると頭部の熱が帽子の内側にこもってしまい、頭部が熱くなって不快に感じることがある。
【０００５】
本考案はこのような問題点を解決することを課題とするものであり、被った際に頭部に清涼感を与えて不快感を和らげることができる帽子を提供することを目的とする。
【課題を解決するための手段】
【０００６】
本考案は、着用者の頭部を覆うクラウンと、該クラウンの内周面において該クラウンの下縁に沿って設けられる帯状の汗取りとを備える帽子であって、前記汗取りは、接触冷感を呈する生地で構成される帽子である。
【０００７】
このような帽子にあっては、前記クラウンと前記汗取りの相互間に、該クラウンに対して該汗取りを着脱自在に保持する面ファスナーを備えることが好ましい。
【０００８】
また前記面ファスナーは、雄型面ファスナーと雌型面ファスナーとで構成され、該雄型面ファスナーと該雌型面ファスナーとを係止させた状態での厚みは０．５〜１．５ｍｍであることが好ましい。
【０００９】
そして前記汗取りは、消臭効果を有する糸によって縫製されることが好ましい。
【００１０】
また前記汗取りは、消臭効果を有するテープを備えることが好ましい。
【考案の効果】
【００１１】
本考案の帽子において、汗取りは接触冷感を呈する生地で構成されているため、頭部の熱を汗取りに素早く移動させて冷たく感じさせたり、頭部からの汗を汗取りで吸収して外部に蒸発させ、この時に奪われる気化熱によって冷感を与えたりすることが可能になる。
【００１２】
また汗取りは、クラウンに対して縫製等によって一体的に設けてもよいが、クラウンと汗取りの相互間に、クラウンに対して汗取りを着脱自在に保持する面ファスナーを設ける場合は、汗取りを帽子から取り外して洗うことができるため、洗濯によって帽子を痛めてしまうことがない。また、取り外した汗取りを水に浸すことで、気化熱による冷感を積極的に得ることもできる。
【００１３】
ところで、面ファスナーとして厚みの厚いものを使用する場合は、その厚みによってコシが強くなるため、クラウンの内周面に沿うように汗取りを取り付けようとしても、汗取りが撓んだり縒れたりして、クラウンに対して局所的に浮いた状態で取り付けられることがある。一方、面ファスナーを構成する雄型面ファスナーと雌型面ファスナーとして、これらを係止させた状態での厚みが０．５〜１．５ｍｍとなるものを採用する場合は、面ファスナーのコシが抑制されて、汗取りを取り付ける際に、クラウンの内周面に簡単に沿わせることができる。またこのような面ファスナーを使用する場合は、雄型面ファスナーや雌型面ファスナーから起毛するフック状の突起部やループ状の係止部の高さも低くなって表面の凹凸感が少なくなる。このため、汗取りを取り付け忘れて帽子を被った場合でも、クラウンの内周面で露出する雄型面ファスナーや雌型面ファスナーによって頭部を引っ掻いてしまったり、頭部を局所的に押圧して痛くなったりすることがない。
【００１４】
また、このような接触冷感を呈する生地は、一般的な生地に比べて臭いが残りやすい傾向があるが、消臭効果を有する糸によって汗取りを縫製したり、汗取りに消臭効果を有するテープを設けたりする場合は、臭いの影響を抑えることができるため、快適性を保つことができる。
【図面の簡単な説明】
【００１５】
【図１】本考案に従う帽子の一実施形態を示す、（ａ）は表側の斜視図であり、（ｂ）は裏側の斜視図であり、（ｃ）は帽子を構成する汗取りの裏面図である。
【図２】（ａ）は図１（ｂ）に示すＡ−Ａに沿う断面図であり、（ｂ）は図１の帽子の変形例を示す裏側の斜視図である。
【図３】本考案に従う帽子の他の実施形態を示す、（ａ）は表側の斜視図であり、（ｂ）は裏側の斜視図である。
【考案を実施するための形態】
【００１６】
以下、図面を参照して、本考案に従う帽子の一実施形態について説明する。なお、本明細書等における「前」、「後」、「上」、「下」の関係は、着用者が頭に被った状態における着用者にとっての位置関係をいう。
【００１７】
図中符号１は、本考案に従う帽子の一実施形態を示す。本実施形態の帽子１は、クラウン２と、鍔３と、面ファスナー４（図２（ａ）参照）と、汗取り５を備えている。
【００１８】
クラウン２は、着用者の頭部を覆うものである。本実施形態においては概略伏せ椀状をなしている。本実施形態のクラウン２は麦わらを編んで構成されているが、これに限定されるものではなく、種々の植物をはじめとする天然由来の素材や、ナイロンなどの合成樹脂由来の素材などで構成してもよい。また、動物性或いは植物性の天然繊維（例えば綿、麻等）や合成繊維（例えば、ポリエステル、ナイロン、ポリウレタン等）、或いはこれらを混紡した繊維からなる織布で構成してもよい。
【００１９】
鍔３は、クラウン２の下縁から外側に突き出すように設けられるものである。本実施形態の鍔３は、クラウン２の全周に亘って設けられているが、例えば前方のみに設けても良い。また本実施形態の鍔３は、クラウン２と同じ麦わらを編んで構成されているが、上述した天然由来の素材や合成樹脂由来の素材などによって、クラウン２とは異なる素材で構成してもよい。また上述した織布で構成してもよい。
【００２０】
面ファスナー４は、基材からフック状の突起部を多数起毛させた雄型面ファスナー４ａと、基材からループ状になる係止部を多数起毛させた雌型面ファスナー４ｂとで構成されている（図２（ａ）参照）。本実施形態では、クラウン２の内周面における下縁に沿って全周に亘って雌型面ファスナー４ｂを設けていて、雄型面ファスナー４ａは、雌型面ファスナー４ｂと略同じ長さのものを汗取り５に設けている。なお、雄型面ファスナー４ａ及び雌型面ファスナー４ｂは、クラウン２や汗取り５に対して間欠状に設けてもよい。
【００２１】
面ファスナー４は、様々な種類のものを採用することが可能である。例えば面ファスナー４は、雄型面ファスナー４ａと雌型面ファスナー４ｂとを係止させた際の厚み（雄型面ファスナー４ａの基材外面から雌型面ファスナー４ｂの基材外面までの厚み）が異なるものが種々存在しているが、入手性や汎用性の面では、例えば２．５〜４．５ｍｍ程度のものを用いることが好ましい。一方、帽子１における機能面を考慮すると、２ｍｍ以下のものを用いることが好ましく、０．５〜１．５ｍｍのものを用いることがより好ましい。この点につき、本考案者が検討を重ねたところ、厚みが２．５〜４．５ｍｍ程度の面ファスナー４を使用した場合においては、厚みによって雄型面ファスナー４ａや雌型面ファスナー４ｂのコシが強くなるため、慎重且つ丁寧に取り付けを行わなければ、汗取り５に撓みや縒が生じて、クラウン２に対して局所的に浮いた状態になることがあった。これに対して厚みが２ｍｍ以下のものであれば、それ程の慎重さはなくても、取り付け時に汗取り５が局所的に浮くことはなかった。更に０．５〜１．５ｍｍとなる面ファスナー４を使用する場合は、撓みや縒がない状態で汗取り５を簡単に取り付けることが可能であった。このため本実施形態では、雄型面ファスナー４ａと雌型面ファスナー４ｂとを係止させた状態での厚みが０．５〜１．５ｍｍとなるものを使用している。なお、係止させた状態での厚みが０．５〜１．５ｍｍとなる面ファスナー４を使用する場合は、雄型面ファスナー４ａや雌型面ファスナー４ｂから起毛するフック状の突起部やループ状の係止部の高さも低くなって表面の凹凸感が少なくなる。従って、汗取り５を取り付け忘れて帽子１を被っても、クラウン２の内周面から露出する雄型面ファスナー４ａや雌型面ファスナー４ｂによって頭部を引っ掻くことや、頭部を局所的に押圧して痛みを与えることがなくなる。
【００２２】
汗取り５は帯状をなすものであって、クラウン２の内周面における下縁に沿って設けられる。また汗取り５は、接触冷感を呈する生地で構成されている。接触冷感を呈する生地とは、肌が触れた際に冷たさを感じる生地であり、このような機能を発揮させる機序としては、熱伝導率や熱拡散率が高い生地を使って肌の熱を生地に素早く移動させることや、肌の汗を吸い取ったり、水に浸したりして生地に水分を含ませ、その水分を素早く蒸発させて気化熱を奪うことが挙げられる。具体的には、キュプラとポリエステルで構成される複合繊維（例えば、旭化成株式会社製のペアクール（登録商標）等）を使用したもの、ポリエステルとエバールとの複合繊維（例えば株式会社クラレ製のソフィスタ（登録商標）等）を使用したもの、ポリエチレン繊維（例えば東洋紡績株式会社のアイスマックス（登録商標）等）、マイカ鉱石を蒸着したナイロンとレーヨンを組み合わせたもの、中空糸のように繊維自体に空隙を持たせたり、隣接する繊維間に空隙を持たせたりして毛細管現象を発現させるもの（例えば帝人株式会社製のウェーブロン（登録商標）等）を挙げることができる。
【００２３】
本実施形態の汗取り５は、上述した接触冷感を呈する生地として、所望する形状よりも一回り大きくなるものを準備し、ほつれを防止するべくその生地の端部を内側に折り返して縫製している。ここで縫製に使用する糸としては、消臭効果を有する消臭糸５ａを使用している。接触冷感を呈する生地は、一般的な生地に比べて臭いが残りやすい傾向があるが、このような消臭糸５ａを使用する場合は臭いの影響を抑えることができるため、快適性を保つことができる。なお消臭糸５ａは、汗取り５の生地を折り返すのみならず、図１（ｃ）に示すように汗取り５の裏面に雄型面ファスナー４ａを設ける際に使用してもよい。更に本実施形態においては、雄型面ファスナー４ａの隣に消臭効果を有する消臭テープ（デオドラントテープ）５ｂも備えていて、消臭テープ５ｂによっても臭いの影響を抑えることができる。なお、消臭テープ５ｂは汗取り５の裏側に設けているので、汗取り５の持つ汗を吸収する効果を阻害することがない。
【００２４】
このような構成になる帽子１においては、汗取り５によって頭部の汗を効果的に吸収することができるため、顔や首に汗が流れ落ちる不快感を抑えることが可能である。また汗取り５は、接触冷感を呈する生地で構成されているため、頭部の熱をこの汗取り５に素早く移動させて冷たく感じさせたり、吸収した汗を外部に蒸発させることによって、この時に奪われる気化熱によって冷感を与えたりすることが可能になる。この帽子１は、汗の吸収のみでも冷たく感じられるが、水を含ませることによって気化熱による冷感効果が積極的に得られるようにしてもよい。なお本実施形態の帽子１では、汗取り５をクラウン２から取り外すことができ、これのみを水に浸すことが可能であるため、クラウン２や鍔３が水に弱い素材であっても水が蒸発する際の冷感効果を積極的に得ることができる。
【００２５】
なお、本考案に従う帽子は、これまでに説明した実施形態に限られるものではなく、実用新案登録請求の範囲に従う範疇で種々の変更を加えたものも含まれる。例えば汗取りは、取り外し可能なものに限定されず、縫製や接着等によってクラウンに対して一体的に設けられるものでもよい。また帽子の形態は、図１に示すものに限定されるものではなく、図２（ｂ）に示す帽子１’ように、後方に日除け６を設けてもよい。このような帽子１’によれば、日除け６によって首の側方や後方に直射日光が当たるのを避けることができる。なお、図２（ｂ）の帽子１’は、雌型面ファスナー４ｂをクラウン２の全周に設け、雄型面ファスナー４ａを備える汗取り５はクラウン２の前方に取り付ける一方、日除け６にも雄型面ファスナー４ａを設けて、汗取り５と日除け６の両方を取り外し可能としている。
【００２６】
また本考案に従う帽子は、図３に示すような、頭部の前方を覆う半帽状のクラウン２’と、クラウン２’から前方外側に突き出す半鍔状の鍔３’と、クラウン２’の内周面に合せて頭部の前方のみに延在する面ファスナー４及び汗取り５とを備えるとともに、クラウン２’と鍔３’の後方縁部に対して一体的に取り付けられる日除け７を設けた帽子１”であってもよい。
【００２７】
また日除け６、７は、一般的な織布で構成してもよいが、汗取り５と同様に接触冷感を呈する生地で構成してもよい。
【符号の説明】
【００２８】
１、１'、１”：帽子
２、２'：クラウン
３、３'：鍔
４：面ファスナー
４ａ：雄型面ファスナー
４ｂ：雌型面ファスナー
５：汗取り
５ａ：消臭糸
５ｂ：消臭テープ
６：日除け
７：日除け
【図１】
0003214029.tif 000003
【図２】
0003214029.tif 000004
【図３】
0003214029.tif 000005